(57)【要約】      （修正有）【課題】交換部材を被固定部材に的確に着脱することができるようにした交換部材の固定手段を提供する。【解決手段】交換部材の固定手段は、交換部材（靴拭き用マットＭ）に接着される着脱側マグネットシート１０と、被固定部材（床面Ｆ）に接着される固定側マグネットシート２０とを備えている。着脱側マグネットシート１０と固定側マグネットシート２０とが重なり合い、抵抗力をもって磁気吸着される。着脱側マグネットシート１０は、交換部材に着脱容易に接着するための肉厚のゲル層と、固定側マグネットシート２０に磁気吸着される固定側マグネットシート本体とを積層した積層体とされている。【選択図】図１
2017006404.tif 000002
【特許請求の範囲】
【請求項１】
交換部材に接着される着脱側マグネットシートと、被固定部材に接着される固定側マグネットシートとを備え、前記着脱側マグネットシートと固定側マグネットシートとが重なり合い、抵抗力をもって磁気吸着されることを特徴とする交換部材の固定手段。
【請求項２】
前記着脱側マグネットシートは、交換部材に着脱容易に接着するための肉厚のゲル層と、前記固定側マグネットシートに磁気吸着される固定側マグネットシート本体とを積層した積層体であることを特徴とする請求項１に記載の交換部材の固定手段。
【請求項３】
前記着脱側マグネットシート及び固定側マグネットシートの各対向面には、交換部材に作用する力の方向にＮ極とＳ極とが交互に着磁されていることを特徴とする請求項１又は２に記載の交換部材の固定手段。
【請求項４】
前記着脱側マグネットシート及び固定側マグネットシートの各対向面には、粘着層が設けられていることを特徴とする請求項１ないし３のいずれか一項に記載の交換部材の固定手段。
【発明の詳細な説明】
【技術分野】
【０００１】
本発明は、定期的に交換する交換部材を床面や壁面などの被固定部材に着脱自在に設置するための交換部材の固定手段に関する。
【背景技術】
【０００２】
定期的に交換されるレンタル用品として、コンビニエンスストアや飲食店のような店舗、さらに、ホテルや病院、学校のようなあらゆる建物の出入口床面に着脱自在に設置される靴拭き用マット、そして、店舗や建物内のトイレやエレベータなどの壁面に着脱自在に設置される芳香消臭装置などが提供されている。
【０００３】
レンタル用の靴拭き用マットは、床面（被固定部材）上に敷かれる四角形平板状のベースと、パイルを植設した四角形状のマット本体とを備え、ベース上にマット本体が重ね合わされて使用される。一定期間使用された靴拭き用マットは、マット本体がベースから分離され、レンタル業者によって回収され、洗浄された後に再びベースに重ね合わされて使用される。
【０００４】
このようなマット本体が雨水や日光などの環境に対してベースに安定して接着するようにしたレンタル用の靴拭き用マットが提供されている（例えば、特許文献１参照）。この靴拭き用マットは、ベースのマット本体支持面がマグネットゴムシートで形成され、マット本体が磁性体粉末を配合したエラストマーバッキングシートを備え、このエラストマーバッキングシートの外周部がベースの外周縁部を囲むように厚肉に形成されている。
【０００５】
この靴拭き用マットによれば、ベースとマット本体とが磁力によって磁気吸着される。そして、マット本体は、洗浄されるときに、磁性粉末によって接着しないようにされている。また、マット本体の外周部が厚肉に形成されていることにより、靴拭き用マットは、捲れ上がりにくく、しかも、波状のフレアーが発生しないようになっている。
【０００６】
そして、レンタル用の芳香消臭装置は、例えば、壁面（被固定部材）に着脱自在に固定される平板状のベースと、このベースの上端に軸支され、ベースとともに閉鎖空間を形成する箱型状の蓋体と、ベースに実装され、蓋体にカバーされる芳香剤収容ボトルとを備えている（例えば、特許文献２参照）。このような芳香消臭装置は、消費された芳香剤収容ボトルを交換するため、ベースが両面接着テープなどによって壁面に着脱自在に固定される。
【先行技術文献】
【特許文献】
【０００７】
【特許文献１】実用新案登録第２５５９６１８号公報
【特許文献２】特開平１１−１９７２２５号公報
【発明の概要】
【発明が解決しようとする課題】
【０００８】
交換部材として使用される特許文献１に記載の靴拭き用マットは、マグネットゴムシートで形成したベースや磁性体粉末を配合したエラストマーバッキングシートを備えているため、既存の靴拭き用マットで使用することができないものになっている。
【０００９】
また、交換部材として使用される特許文献２に記載の芳香消臭装置は、交換可能にするための両面接着テープを備えている。この両面接着テープは、被固定部材である壁面の壁紙や壁塗装を損傷させないような適度な弱い貼着力を有するものとされている。
【００１０】
しかし、店舗のトイレ内において弱い貼着力で固定された芳香消臭装置は、客によって壁から剥がされ、持ち帰られたり、便器内に投入されたりするなどの被害に遭うことがある。このような被害に遭わないように、芳香消臭装置を天井付近に固定すると、揮発する芳香剤が上昇することから、芳香消臭効果を十分に発揮できなくなる。
【００１１】
また、エレベータ内の壁面に固定されたレンタル用の芳香消臭装置にあっては、エレベータの上昇に際して、重力以外に鉛直下方への力が掛けられる。したがって、両面接着テープは、トイレなどの静止した壁面に接着される場合よりも、強い接着力を有していることが好ましい。しかし、芳香消臭装置が繰り返し着脱されると、粘着力が低下し、壁面から落下することがある。
【００１２】
そこで、本発明は、交換部材を被固定部材に的確に着脱することができるようにした交換部材の固定手段を提供することを課題とする。
【課題を解決するための手段】
【００１３】
本発明に係る交換部材の固定手段は、交換部材に接着される着脱側マグネットシートと、被固定部材に接着される固定側マグネットシートとを備え、前記着脱側マグネットシートと固定側マグネットシートとが重なり合い、抵抗力をもって磁気吸着されることを特徴としている。
【００１４】
この交換部材の固定手段によれば、交換部材に接着された着脱側マグネットシートが被固定部材に接着された固定側マグネットシートに抵抗力をもって磁気吸着されることで、交換部材が被固定部材から容易に外れないようにすることができる。ここで、「抵抗力をもって磁気吸着」とは、所定の力以下の力によって、交換部材を重なり合っている被固定部材から外すことができない一方、所定の力以上の力によって、交換部材を重なり合っている被固定部材から外すことができることを意味する。
【００１５】
前記本発明に係る交換部材の固定手段の一態様として、前記着脱側マグネットシートは、交換部材に着脱容易に接着するための肉厚のゲル層と、前記固定側マグネットシートに磁気吸着される固定側マグネットシート本体とを積層した積層体であることが好ましい。
【００１６】
この交換部材の固定手段によれば、着脱側マグネットシートがゲル層によって交換部材に繰り返し着脱可能に接着されることで、着脱側マグネットシートを交換部材から分離したり接着したりすることができる。そして、ゲル層が肉厚で弾力性を有することで、交換部材の被接着面に凹凸があっても、この凹凸にゲル層の表面が埋まる状態となることで、着脱側マグネットシートを交換部材に密着させることができる。
【００１７】
また、前記本発明に係る交換部材の固定手段の他態様として、前記着脱側マグネットシート及び固定側マグネットシートの各対向面には、交換部材に作用する力の方向にＮ極とＳ極とが交互に着磁されていることが好ましい。
【００１８】
この交換部材の固定手段によれば、着脱側マグネットシートのＮ極と固定側マグネットシートのＳ極とが磁着し、着脱側マグネットシートのＳ極と固定側マグネットシートのＮ極とが磁着することで、交換部材が被固定部材に対して所定の方向を向いて磁着することができる。
【００１９】
また、前記本発明に係る交換部材の固定手段のさらに異なる他態様として、前記着脱側マグネットシート及び固定側マグネットシートの各対向面には、粘着層が設けられていることが好ましい。
【００２０】
この交換部材の固定手段によれば、着脱側マグネットシートに設けられた粘着層と固定側マグネットシートに設けられた粘着層とが重なり合うことで、着脱側マグネットシートと固定側マグネットシートとは、外力が加えられたときに、磁気吸着だけでなく、各粘着層による接着よっても位置ずれしないようにすることができる。
【発明の効果】
【００２１】
本発明によれば、交換部材を被固定部材に的確に着脱することができるようにした交換部材の固定手段を提供することができる。
【図面の簡単な説明】
【００２２】
【図１】図１は、本発明に係る交換部材の固定手段の第１実施形態を示し、（ａ）は交換部材が被固定部材に固定される前の状態を示す斜視図、（ｂ）は交換部材が被固定部材に固定されている状態を示す断面正面図である。
【図２】図２は、本発明に係る交換部材の固定手段の第１実施形態を示し、（ａ）は交換部材が被固定部材に固定される前の状態を示す要部拡大断面正面図、（ｂ）は交換部材が被固定部材に固定された状態を示す要部拡大断面正面図である。
【図３】図３は、本発明に係る交換部材の固定手段の第２実施形態を示し、交換部材が被固定部材に固定される前の状態を示す一部断面側面図である。
【図４】図４は、本発明に係る交換部材の固定手段の第２実施形態を示し、交換部材が固定部材に固定された状態を示す一部断面側面図である。
【図５】図５は、本発明に係る交換部材の固定手段の第２実施形態を示し、交換部材が被固定部材に固定された状態を示す要部拡大断面側面図である。
【発明を実施するための形態】
【００２３】
〔本発明を実施するための第１の形態〕
本発明に係る交換部材の固定手段の第１実施形態について、図１及び図２を参照しながら説明する。第１実施形態における交換部材は、レンタルされる靴拭き用マットＭであり、被固定部材は、店舗や建物の出入口付近の床面Ｆである。交換部材の固定手段は、図１（ａ）に示すように、靴拭き用マットＭに着脱容易に接着される着脱側マグネットシート１０と、床面Ｆに接着される固定側マグネットシート２０とを備えている。
【００２４】
着脱側マグネットシート１０は、図１に示すように、靴拭き用マットＭの四隅に接着される小型平板状部材とされ、あるいは、図示しないが、靴拭き用マットＭの両端縁に接着される２本の帯状部材又は外周縁に接着される４本の帯状部材とされてもよいし、靴拭き用マットＭの全面に接着される大型平板状部材とされてもよい。
【００２５】
他方、固定側マグネットシート２０は、図示したような着脱側マグネットシート１０の形状に合わせて小型平板状部材とされ、あるいは図示しないが、帯状体部材とさてもよいし、着脱側マグネットシート１０の形状に関わりなく、大型平板状部材とされてもよい。
【００２６】
いずれにしても、着脱側マグネットシート１０と固定側マグネットシート２０とは、重なり合い、抵抗力をもって磁気吸着される。「抵抗力をもって」とは、床面Ｆに沿う方向（床面Ｆに擦れる方向）の力が靴拭き用マットＭに加えられても、靴拭き用マットＭが重ね合わされた床面Ｆから外れない一方、床面Ｆに垂直な方向（床面Ｆに対して上向き）の力が靴拭き用マットＭに加えられることによって、靴拭き用マットＭを重ね合わされた床面Ｆから外すことができることを意味する。
【００２７】
そして、着脱側マグネットシート１０は、図２に示すように、靴拭き用マットＭに着脱容易に接着する厚肉のゲル層１１と、固定側マグネットシート２０に磁気吸着される着脱側マグネットシート本体１２とを積層した積層体とされている。また、着脱側マグネットシート本体１２が固定側マグネットシート２０に対向する面には、粘着層（図示せず）が設けられている。
【００２８】
ゲル層１１は、粘着性と弾力性とを有するもので、例えば、イソブレチン系樹脂又は２液反応型ポリウレタン樹脂塗料によって構成されている。このゲル層１１が靴拭き用マットＭの裏面に密着することで、靴拭き用マットＭの裏面に凹凸があっても、この凹凸が解消した状態で着脱側マグネットシート１０が靴拭き用マットＭに接着する。ただし、着脱側マグネットシート１０を靴拭き用マットＭから捲（めく）るような引き離す方向の力が加えられると、ゲル層１１は靴拭き用マットＭから容易に剥離する。
【００２９】
他方、固定側マグネットシート２０は、床面Ｆに接着するための接着剤や両面接着テープなど接着層２１と、着脱側マグネットシート１０に磁気吸着される固定側マグネットシート本体２２とを積層した積層体とされている。また、固定側マグネットシート本体２２が着脱側マグネットシート１０に対向する面には、粘着層（図示せず）が設けられている。固定側マグネットシート２０は、基本的に床面Ｆから剥離する必要はなく、また、靴拭き用マットＭが盛り上がらないようにするため薄肉とされている。なお、靴拭き用マットＭは、交換部材の固定手段を厚さ方向に埋め込むような弾力性を有している。
【００３０】
そして、着脱側マグネットシート本体１２及び固定側マグネットシート本体２２には、靴拭き用マットＭに作用する力の方向、すなわち、人が店舗や建物内に出入りする水平方向に、帯状のＮ極と帯状のＳ極とが交互に着磁されている。
【００３１】
なお、図面では、着脱側マグネットシート本体１２が固定側マグネットシート本体２２と対向する面と、固定側マグネットシート本体２２が着脱側マグネットシート本体１２と対向する面のＮ極とＳ極を図示しているが、着脱側マグネットシート本体１２が靴拭き用マットＭに接着する面及び固定側マグネットシート本体２２が床面Ｆに接着する面にも反対側のＳ極とＮ極が現れる。
【００３２】
そして、いうまでもなく、靴拭き用マットＭが床面Ｆに設置されたときに、着脱側マグネットシート１０のＮ極と固定用マグネットのＳ極とが磁気吸着され、着脱側マグネットシート１０のＳ極と固定側マグネットシート２０のＮ極とが磁気吸着される。
【００３３】
そして、靴拭き用マットＭに接着された着脱側マグネットシート１０が、床面Ｆに接着された固定側マグネットシート２０に磁気吸着され、固定側マグネットシート２０の粘着層と着脱側マグネットシート１０の粘着層とが接着することで、靴拭き用マットＭが床面Ｆに設置される。
【００３４】
着脱側マグネットシート１０のゲル層１１が靴拭き用マットＭの裏面に接着されることで、靴拭き用マットＭに起伏があっても、着脱側マグネットシート１０が靴拭き用マットＭに密着する。なお、図面は、見やすくするため、交換部材の固定手段が嵩高に描かれているが、靴拭き用マットＭが弾力性を有していることと相まって、実際は、交換部材の固定手段によって靴拭き用マットＭが盛り上がることはない。
【００３５】
そして、固定側マグネットシート２０と着脱側マグネットシート１０とが出入する方向にＮ極とＳ極を交互に配列した多極磁極で、それぞれのＮ極とＳ極とが磁気吸着されることにより、さらに、固定側マグネットシート２０の粘着層と着脱側マグネットシート１０の粘着層とが接着することにより、人の進行方向に靴拭き用マットＭをずらせる力が作用したとしても、靴拭き用マットＭは位置ずれしない。
【００３６】
そして、洗浄のために靴拭き用マットＭを交換するときは、レンタル業者が靴拭き用マットＭを床面Ｆに垂直な方向に引っ張り上げることで、着脱側マグネットシート１０が固定側マグネットシート２０から剥がされる。さらに、レンタル業者は、着脱側マグネットシート１０を靴拭き用マットＭから剥がす。着脱側マグネットシート１０は、ゲル層１１によって靴拭き用マットＭに接着しているだけであるため、靴拭き用マットＭから容易に剥がれる。
【００３７】
そして、洗浄された靴拭き用マットＭには、着脱側マグネットシート１０のゲル層１１が接着される。靴拭き用マットＭが洗浄されていることで、また、ゲル層１１の接着性が劣化しないことで、着脱側マグネットシート１０が靴拭き用マットＭに確実に接着する。そして、この着脱側マグネットシート１０を固定側マグネットシート２０に重ね合わせることで、新たな靴拭き用マットＭが所定の床面Ｆ上において出入口に向かって真っ直ぐに、換言すれば、靴拭き用マットＭの一辺が店舗や建物の出入口と平行に設置される。
【００３８】
特に、固定側マグネットシート本体２２が着脱側マグネットシート本体１２と対向する面のＮ極とＳ極とが磁着することで、着脱側マグネットシート本体１２が固定側マグネットシート本体２２に対して所定の方向を向いて磁気吸着される。
【００３９】
なお、第１実施形態において、着脱側マグネットシート１０及び固定側マグネットシート２０は、Ｎ極とＳ極とを交互に着磁したものとしたが、磁気吸着力が強力な磁石であれば、一方のマグネットシート１０，２０の対向面全面をＮ極とし、他方のマグネットシート２０，１０の対向面全面をＳ極としてもよい。
【００４０】
〔本発明を実施するための第２の形態〕
本発明に係る交換部材の固定手段の第２実施形態について、図３ないし図５を参照しながら説明する。第２実施形態における交換部材は、レンタルされる芳香消臭装置Ｄであり、被固定部材は、店舗のトイレ内やエレベータ内などの壁面Ｗである。交換部材の固定手段は、図３に示すように、芳香消臭装置Ｄに接着される着脱側マグネットシート３０と、壁面Ｗに接着される固定側マグネットシート４０とを備えている。
【００４１】
着脱側マグネットシート３０は、図示したように、芳香消臭装置Ｄの基板全面に接着される大型平板状部材とされ、あるいは、図示しないが、芳香消臭装置Ｄの基板の四隅に接着される小型平板状部材とされ、あるいは、上下の縁部に接着される帯状部材とされる。いずれにしても、着脱側マグネットシート３０は、芳香消臭装置Ｄの基板から剥がせても剥がせなくてもよい。
【００４２】
そして、芳香消臭装置Ｄの基板は通常、プラスチック製であるため、着脱側マグネットシート３０は、基板に接着する両面接着テープ３１と、固定側マグネットシート４０に磁気吸着される着脱側マグネットシート本体３２とを積層した積層体とされる。また、着脱側マグネットシート本体３２が固定側マグネットシート４０に対向する面には、粘着層（図示せず）が設けられている。ただし、着脱側マグネットシート３０は、両面接着テープ３１を備えず、着脱側マグネットシート本体３２を接着剤によって芳香消臭装置Ｄに直接、接着してもよい。
【００４３】
他方、固定側マグネットシート４０は、着脱側マグネットシート３０の形状に関わりなく、大型平板状部材とされ、あるいは、着脱側マグネットシート３０の形状に合わせて、小型平板状部材や帯状部材とされてもよい。いずれにしても、固定側マグネットシート４０は、壁面Ｗから剥がせても剥がせなくてもよい。
【００４４】
例えば壁面Ｗが鉄などの強磁性体で構成されているときは、固定側マグネットシート４０は、着脱側マグネットシート３０に向き合う面だけでなく、壁面Ｗに向き合う面も磁気吸着されるような単体としてもよい。
【００４５】
壁面Ｗが布張りとされているときは、固定側マグネットシート４０は、その布に接着する両面接着テープ４１と、着脱側マグネットシート３０に磁気吸着される固定側マグネットシート本体４２とを積層した積層体とされる。また、固定側マグネットシート本体４２が着脱側マグネットシート３０に対向する面には、粘着層（図示せず）が設けられている。
【００４６】
また、着脱側マグネットシート３０と固定側マグネットシート４０とは、重なり合い、抵抗力をもって磁気吸着される。「抵抗力をもって磁気吸着」とは、所定の力以下の力が加えられても芳香消臭装置Ｄを重ね合わされた壁面Ｗから外すことができない一方、所定の力以上の力が加えられることによって芳香消臭装置Ｄを重ね合わされた壁面Ｗから外すことができることをいう。
【００４７】
したがって、芳香消臭装置Ｄは、着脱側マグネットシート３０と固定側マグネットシート４０とが磁気吸着され、また、各マグネットシート３０，４０に設けられた粘着層が接着することで、自重によって壁面Ｗから落下することがない。
【００４８】
そして、店舗に来た客が芳香消臭装置Ｄを壁から剥がそうとしても、芳香消臭装置Ｄに接着された着脱側マグネットシート３０と、壁面Ｗに接着された固定側マグネットシート４０とが抵抗力をもって磁気吸着され、また、各マグネットシート３０，４０に設けられた粘着層同士が接着していることから、芳香消臭装置Ｄは壁面Ｗから簡単に外れない。このため、芳香消臭装置Ｄが持ち帰られたり、便器内に投入されたりすることがなくなる。
【００４９】
そして、芳香消臭装置Ｄを交換するときは、レンタル業者が所定の力以上の力でもって芳香消臭装置Ｄを壁面Ｗから離す方向に引き寄せる。そうすると、固定側マグネットシート４０に磁気吸着され、また、粘着層によって接着していた着脱側マグネットシート３０が固定側マグネットシート４０から離れ、芳香消臭装置Ｄを壁面Ｗから外すことができる。なお、芳香消臭装置Ｄを壁面Ｗから外すときに、固定側マグネットシート４０が壁面Ｗから外れないように壁面Ｗに接着していることはいうまでもない。
【００５０】
そして、着脱側マグネットシート３０が芳香消臭装置Ｄから剥がされるタイプにあっては、レンタル業者は、この外した前の芳香消臭装置Ｄに接着されていた着脱側マグネットシート３０を次の新しい芳香消臭装置Ｄに貼り替える。着脱側マグネットシート３０が芳香消臭装置Ｄから剥がされないタイプにあっては、交換される次の新しい芳香消臭装置Ｄに予め着脱側マグネットシート３０が接着されている。
【００５１】
いずれにしても、この次の新しい芳香消臭装置Ｄに接着された着脱側マグネットシート３０が壁面Ｗに接着された固定側マグネットシート４０に磁気吸着されることで、新しい芳香消臭装置Ｄが壁面Ｗに固定される。
【００５２】
ところで、この第２実施形態の交換部材の固定手段が芳香消臭装置Ｄをエレベータの壁面Ｗに着脱自在に設置する場合、固定側マグネットシート４０と着脱側マグネットシート３０とは、図５に示すように、帯状のＮ極と帯状のＳ極を鉛直方向に交互に配列するように着磁した構成してもよい。この場合は、芳香消臭装置Ｄの向きが鉛直姿勢に規制され、見た目を良好にすることができる。
【００５３】
なお、図面では、着脱側マグネットシート本体３２が固定側マグネットシート本体４２と対向する面と、固定側マグネットシート本体４２が着脱側マグネットシート本体３２と対向する面のＮ極とＳ極を図示しているが、着脱側マグネット本体３２が芳香消臭装置Ｄに接着する面及び固定側マグネットシート本体４２が壁面ＦＷ接着する面にも反対側のＳ極とＮ極が現れる。
【００５４】
そして、エレベータの上昇に際して、重力以外に鉛直下方向の力が芳香消臭装置Ｄに掛けられるが、固定側マグネットシート４０と着脱側マグネットシート３０とがＮ極とＳ極を鉛直方向に交互に着磁しとものされることで芳香消臭装置Ｄが壁面Ｗから脱落しないような抵抗力を向上させることができる。
【００５５】
〔本発明を実施するためのその他の形態〕
第１実施形態では、交換部材の一例として靴拭き用マットＭの場合について説明したが、交換部材は換気扇用フィルターなど定期的に交換される各種部材で使用することができる。
【００５６】
また、第２実施形態における交換部材の固定手段は、芳香消臭装置Ｄを壁面Ｗに接着する場合について説明したが、芳香消臭装置Ｄだけでなく、泡状ソープを吐出させる装置やロールタオルなど、定期的に交換される各種の装置を壁面Ｗに接着させることができる。
【００５７】
また、第１実施形態であっても、第２実施形態であっても、着脱側マグネットシート１０，３０及び固定側マグネットシート２０，４０の磁気吸着力が十分に強い場合には、着脱側マグネットシート本体１２，３２及び固定側マグネットシート本体２２，４２に粘着層を設けなくてもよい。
【符号の説明】
【００５８】
Ｍ……交換部材（靴拭き用マット）
Ｆ……被固定部材（床面）
１０…着脱側マグネットシート
１１…ゲル層
１２…着脱側マグネットシート本体
２０…固定側マグネットシート
２１…接着層
２２…固定側マグネットシート本体
Ｄ……交換部材（芳香消臭装置）
Ｗ……被固定部材（壁面）
３０…着脱側マグネットシート
３１…両面接着テープ
３２…着脱側マグネットシート本体
４０…固定側マグネットシート
４１…両面接着テープ
４２…固定側マグネットシート本体
【図１】
2017006404.tif 000003
【図２】
2017006404.tif 000004
【図３】
2017006404.tif 000005
【図４】
2017006404.tif 000006
【図５】
2017006404.tif 000007
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
交換部材に接着される着脱側マグネットシートと、被固定部材に接着される固定側マグネットシートとを備え、前記着脱側マグネットシートは、交換部材に着脱容易に接着するための肉厚のゲル層と、前記固定側マグネットシートに磁気吸着される着脱側マグネットシート本体とを積層した積層体であり、前記着脱側マグネットシートと固定側マグネットシートとが重なり合い、抵抗力をもって磁気吸着されることを特徴とする交換部材の固定手段。
【請求項２】
前記着脱側マグネットシート及び固定側マグネットシートの各対向面には、交換部材に作用する力の方向にＮ極とＳ極とが交互に着磁されていることを特徴とする請求項１に記載の交換部材の固定手段。
【請求項３】
前記着脱側マグネットシート及び固定側マグネットシートの各対向面には、粘着層が設けられていることを特徴とする請求項１又は２に記載の交換部材の固定手段。
【手続補正２】
【補正対象書類名】明細書
【補正対象項目名】００１３
【補正方法】変更
【補正の内容】
【００１３】
本発明に係る交換部材の固定手段は、交換部材に接着される着脱側マグネットシートと、被固定部材に接着される固定側マグネットシートとを備え、前記着脱側マグネットシートは、交換部材に着脱容易に接着するための肉厚のゲル層と、前記固定側マグネットシートに磁気吸着される着脱側マグネットシート本体とを積層した積層体であり、前記着脱側マグネットシートと固定側マグネットシートとが重なり合い、抵抗力をもって磁気吸着されることを特徴としている。
【手続補正３】
【補正対象書類名】明細書
【補正対象項目名】００１５
【補正方法】削除
【補正の内容】